(57)【要約】【課題】異物除去部が内周面に設けられたカバー部をウエブ案内ロールの軸線方向の一方向に移動させる動作を一回行うだけでウエブ案内ロールの外周面から異物を除去することができるためシンプルな構成で作業性を向上させることができる清掃装置およびウエブ案内システムを提供する。【解決手段】清掃装置１０は、帯状のウエブが掛け渡されるウエブ案内ロール２０の外周面の全周を覆うよう設けられ、当該ウエブ案内ロール２０から取り外し可能となっているカバー部（例えば、第１カバー部分１２および第２カバー部分１３）と、カバー部の内周面に設けられ、可撓性を有しており、ウエブ案内ロール２０の外周面から異物を除去する異物除去部（例えば、ブラシ１６）とを備えている。【選択図】図２
2016221487.tif 000002
【特許請求の範囲】
【請求項１】
帯状のウエブが掛け渡されるウエブ案内ロールの外周面の全周を覆うよう設けられ、当該ウエブ案内ロールから取り外し可能となっているカバー部と、
前記カバー部の内周面に設けられ、可撓性を有しており、前記ウエブ案内ロールの外周面から異物を除去する異物除去部と、
を備えた、清掃装置。
【請求項２】
前記異物除去部は、ブラシ、スポンジおよびウエスのうち少なくとも１つのものからなる、請求項１記載の清掃装置。
【請求項３】
前記異物除去部は、前記カバー部の内周面に形成された突起と、前記突起を覆うよう前記カバー部の内周面に設けられたウエスとを有している、請求項１記載の清掃装置。
【請求項４】
前記カバー部は、周方向に沿って分割された複数のカバー部分を有しており、
各前記カバー部分は互いに取付可能となっている、請求項１乃至３のいずれか一項に記載の清掃装置。
【請求項５】
前記ウエブ案内ロールの軸線方向に沿って前記カバー部をスライドさせるスライド機構を更に備えた、請求項１乃至４のいずれか一項に記載の清掃装置。
【請求項６】
帯状のウエブが掛け渡されるウエブ案内ロールと、
前記ウエブ案内ロールの外周面の清掃を行う清掃装置と、
を備え、
前記清掃装置は、前記ウエブ案内ロールの外周面の全周を覆うよう設けられ、当該ウエブ案内ロールから取り外し可能となっているカバー部と、前記カバー部の内周面に設けられ、可撓性を有しており、前記ウエブ案内ロールの外周面から異物を除去する異物除去部とを有している、ウエブ案内システム。
【請求項７】
前記ウエブ案内ロールを回転駆動させる駆動部を更に備えた、請求項６記載のウエブ案内システム。
【発明の詳細な説明】
【技術分野】
【０００１】
本発明は、帯状のウエブが掛け渡されるウエブ案内ロールの外周面の清掃を行う清掃装置、ならびにウエブ案内ロールおよび清掃装置を備えたウエブ案内システムに関する。
【背景技術】
【０００２】
紙やフィルム等の帯状のウエブが掛け渡されるウエブ案内ロールの外周面には、当該ウエブ案内ロールの周方向に沿って当該ウエブ案内ロールの全周に亘って延びる溝が形成されており、このような溝により、ウエブ案内ロールの外周面とウエブとの間に空気が入ることによってウエブとウエブ案内ロールとの間に働く摩擦力が低下してウエブ案内ロール上でウエブが蛇行してしまうことが抑制されるようになっている。より詳細には、このような溝はウエブ案内ロールの軸線方向に沿って並列に並ぶよう複数設けられており、各溝の幅の大きさは例えば１〜２ｍｍ、深さは例えば１ｍｍとなっている。このような溝がウエブ案内ロールの外周面に設けられていることにより、搬送されているウエブがウエブ案内ロールの外周面に接する際に当該ウエブによりウエブ案内ロールの外周面に巻き込まれる空気が溝の中に逃げるようになり、このことによりウエブ案内ロールの外周面とウエブとの間に空気が入ってしまうことが抑制され、ウエブとウエブ案内ロールとの間に働く摩擦力が低下してしまうことが防止されるため、ウエブ案内ロール上でウエブが蛇行してしまうことが防止される。
【０００３】
このような溝が設けられたウエブ案内ロールでは、当該ウエブ案内ロールを長期間使用すると溝の中にゴミ等の異物が付着してしまうおそれがある。これに対し、特許文献１には、ウエブ案内ロールの外周面に案内ウエブを接触させながら当該案内ウエブをウエブ案内ロールの軸線方向に沿って蛇行させ、この蛇行した案内ウエブでウエブ案内ロールの外周面を清掃するクリーニング方法が開示されている。このようなクリーニング方法では、簡単な構成でウエブ案内ロールの外周面の全域を清掃することができる。
【先行技術文献】
【特許文献】
【０００４】
【特許文献１】特開平７−８１８２０号公報
【発明の概要】
【発明が解決しようとする課題】
【０００５】
しかしながら、特許文献１等に開示されるような従来のクリーニング方法では、溝が外周面に設けられたウエブ案内ロールと案内ウエブとの間で働く摩擦力が大きく、案内ウエブがウエブ案内ロールの軸線方向に沿って蛇行することで案内ウエブとウエブ案内ロールとの間の擦れにより発塵が生じてしまうおそれがある。また、上記のような従来のクリーニング方法では、ウエブ案内ロールが設けられた印刷機等の機械自体を停止させ、ウエスに溶剤を付けて軸線方向の一方向に移動させる動作を数回繰り返すことによりウエブ案内ロールの外周面全域を清掃する必要があるため作業性が悪いという問題がある。さらに、上記のような従来のクリーニング方法は作業者が手動で行うため清掃ムラが多く、溝の内部に異物が溜まりやすいという問題がある。
【０００６】
本発明は、このような点を考慮してなされたものであり、異物除去部が内周面に設けられたカバー部をウエブ案内ロールの軸線方向の一方向に移動させる動作を一回行うだけでウエブ案内ロールの外周面から異物を除去することができるためシンプルな構成で作業性を向上させることができる清掃装置およびウエブ案内システムを提供することを目的とする。
【課題を解決するための手段】
【０００７】
本発明の清掃装置は、帯状のウエブが掛け渡されるウエブ案内ロールの外周面の全周を覆うよう設けられ、当該ウエブ案内ロールから取り外し可能となっているカバー部と、前記カバー部の内周面に設けられ、可撓性を有しており、前記ウエブ案内ロールの外周面から異物を除去する異物除去部と、を備えたことを特徴とする。
【０００８】
このような清掃装置によれば、カバー部をウエブ案内ロールに取り付けた後、ウエブ案内ロールを手動または自動で回転させながらカバー部を当該ウエブ案内ロールの軸線方向の一方向に移動させる動作を一回行うだけでウエブ案内ロールの外周面から異物を除去することができ、よってシンプルな構成で作業性を向上させることができる。
【０００９】
本発明の清掃装置においては、前記異物除去部は、ブラシ、スポンジおよびウエスのうち少なくとも１つのものからなっていてもよい。
【００１０】
また、前記異物除去部は、前記カバー部の内周面に形成された突起と、前記突起を覆うよう前記カバー部の内周面に設けられたウエスとを有していてもよい。
【００１１】
本発明の清掃装置においては、前記カバー部は、周方向に沿って分割された複数のカバー部分を有しており、各前記カバー部分は互いに取付可能となっていてもよい。
【００１２】
本発明の清掃装置は、前記ウエブ案内ロールの軸線方向に沿って前記カバー部をスライドさせるスライド機構を更に備えていてもよい。
【００１３】
本発明のウエブ案内システムは、帯状のウエブが掛け渡されるウエブ案内ロールと、前記ウエブ案内ロールの外周面の清掃を行う清掃装置と、を備え、前記清掃装置は、前記ウエブ案内ロールの外周面の全周を覆うよう設けられ、当該ウエブ案内ロールから取り外し可能となっているカバー部と、前記カバー部の内周面に設けられ、可撓性を有しており、前記ウエブ案内ロールの外周面から異物を除去する異物除去部とを有していることを特徴とする。
【００１４】
このようなウエブ案内システムによれば、清掃装置のカバー部をウエブ案内ロールに取り付けた後、ウエブ案内ロールを手動または自動で回転させながらカバー部を当該ウエブ案内ロールの軸線方向の一方向に移動させる動作を一回行うだけでウエブ案内ロールの外周面から異物を除去することができ、よってシンプルな構成で作業性を向上させることができる。
【００１５】
本発明のウエブ案内システムは、前記ウエブ案内ロールを回転駆動させる駆動部を更に備えていてもよい。
【発明の効果】
【００１６】
本発明の清掃装置およびウエブ案内システムによれば、シンプルな構成で作業性を向上させることができる。
【図面の簡単な説明】
【００１７】
【図１】本発明の実施の形態による清掃装置およびこのような清掃装置により外周面が清掃されるべきウエブ案内ロールの構成の一例を示す斜視図である。
【図２】図１に示す清掃装置およびウエブ案内ロールの断面図である。
【図３】本発明の実施の形態による他の構成の清掃装置およびこのような清掃装置により外周面が清掃されるべきウエブ案内ロールの断面図である。
【図４】本発明の実施の形態による更に他の構成の清掃装置およびこのような清掃装置により外周面が清掃されるべきウエブ案内ロールの断面図である。
【図５】本発明の実施の形態による清掃装置においてウエブ案内ロールの軸線方向に沿ってカバー部をスライドさせるスライド機構が設けられたときの構成を示す斜視図である。
【発明を実施するための形態】
【００１８】
以下、図面を参照して本発明の実施の形態について説明する。図１乃至図５は、本実施の形態による清掃装置およびこのような清掃装置により外周面が清掃されるべきウエブ案内ロールを示す図である。
【００１９】
まず、紙やフィルム等の帯状のウエブが掛け渡されるウエブ案内ロール２０の構成について図１を用いて簡単に説明する。図１に示すように、円筒形状のウエブ案内ロール２０の中心部分には軸２４が設けられており、当該軸２４はウエブ案内ロール２０の両側方にそれぞれ設けられた図示しない軸受により受けられるようになっている。また、軸２４は駆動モータ２６により回転駆動させられるようになっており、このことによりウエブ案内ロール２０は軸２４と一体的に回転するようになっている。なお、本実施の形態による清掃装置１０により清掃されるべきウエブ案内ロール２０は、駆動モータ２６により回転させられるものに限定されることはない。本実施の形態による清掃装置１０により清掃されるべきウエブ案内ロール２０として、軸２４に駆動モータ２６が接続されておらず、フリーで回転するもの（すなわち、フリーロール）が用いられるようになっていてもよい。
【００２０】
また、図１に示すように、ウエブ案内ロール２０の外周面には、当該ウエブ案内ロール２０の周方向に沿ってこのウエブ案内ロールの全周に亘って延びる溝２２が形成されており、このような溝２２により、ウエブ案内ロール２０の外周面とウエブとの間に空気が入ることによってウエブとウエブ案内ロール２０との間に働く摩擦力が低下してウエブ案内ロール２０上でウエブが蛇行してしまうことが抑制されるようになっている。より詳細には、このような溝２２はウエブ案内ロール２０の軸線方向に沿って並列に並ぶよう複数設けられており、各溝２２の幅の大きさは例えば１〜２ｍｍ、深さは例えば１ｍｍとなっている。このような溝２２がウエブ案内ロール２０の外周面に設けられていることにより、搬送されているウエブがウエブ案内ロール２０の外周面に接する際に当該ウエブによりウエブ案内ロール２０の外周面に巻き込まれる空気が溝２２の中に逃げるようになり、このことによりウエブ案内ロール２０の外周面とウエブとの間に空気が入ってしまうことが抑制され、ウエブとウエブ案内ロール２０との間に働く摩擦力が低下してしまうことが防止されるため、ウエブ案内ロール２０上でウエブが蛇行してしまうことが防止される。なお、ウエブ案内ロール２０の外周面に形成される溝は、当該ウエブ案内ロール２０の軸線方向に沿って並列に並ぶような構成のものに限定されることはない。他の構成の溝の一例として、アヤメロールやスパイラルロール等、ウエブ案内ロール２０の外周面に螺旋形状の溝が形成されるようになっていてもよい。
【００２１】
次に、このようなウエブ案内ロール２０の外周面の清掃を行う清掃装置１０の構成について図１および図２を用いて説明する。なお、図２は、図１に示す清掃装置１０およびウエブ案内ロール２０の断面図である。
【００２２】
本実施の形態による清掃装置１０は、ウエブ案内ロール２０の外周面の全周を覆うよう設けられ、当該ウエブ案内ロール２０から取り外し可能となっているカバー部１１と、カバー部１１の内周面に設けられ、可撓性を有しており、ウエブ案内ロール２０の外周面から異物を除去する異物除去部とを有している。ここで、カバー部１１はその断面がいわゆるドーナツ形状となるような構造となっている。また、カバー部１１は、周方向に沿って分割された複数のカバー部分（具体的には、第１カバー部分１２および第２カバー部分１３）を有しており、各カバー部分１２、１３は互いに取付可能となっている。より詳細には、第１カバー部分１２および第２カバー部分１３は蝶番１４により互いに接続されており、第２カバー部分１３は蝶番１４を中心として第１カバー部分１２に対して回転可能となっている。また、第１カバー部分１２における蝶番１４が設けられた側とは反対側の箇所には取付部材１８が設けられているとともに、第２カバー部分１３における蝶番１４が設けられた側とは反対側の箇所には上記の取付部材１８により取り付けられる被取付部材１９が設けられている。そして、第１カバー部分１２および第２カバー部分１３でウエブ案内ロール２０を囲った状態で第１カバー部分１２の取付部材１８を第２カバー部分１３の被取付部材１９に取り付けることにより、図１に示すようにウエブ案内ロール２０の外周面の全周が第１カバー部分１２および第２カバー部分１３により覆われるようになる。
【００２３】
第１カバー部分１２および第２カバー部分１３からなるカバー部１１の内周面には、可撓性を有する異物除去部が設けられている。ここで、本実施の形態では、異物除去部としてブラシ、スポンジおよびウエスのうち少なくとも１つのものが用いられるようになっている。図２は、第１カバー部分１２および第２カバー部分１３の内周面にそれぞれ設けられた異物除去部としてブラシ１６が用いられるような構成を示している。異物除去部としてブラシ１６が用いられるような清掃装置１０では、カバー部１１をウエブ案内ロール２０に取り付けた後、ウエブ案内ロール２０の軸線方向に沿ってカバー部１１をスライドさせながら当該ウエブ案内ロール２０を回転させることにより、ウエブ案内ロール２０の外周面、とりわけ溝２２の内部に付着した異物がブラシ１６によって掻き落とされ、ウエブ案内ロール２０の外周面から異物の除去を行うことができるようになる。なお、本実施の形態では、ウエブ案内ロール２０を回転させずに清掃装置１０のカバー部１１をスライドさせても、当該ウエブ案内ロール２０の外周面（具体的には、溝２２の内部）に付着した異物をブラシ１６によって掻き落とし、当該ウエブ案内ロール２０の外周面から異物の除去を行うことができる。
【００２４】
なお、ウエブ案内ロール２０の外周面の清掃を行う清掃装置として、図１や図２に示すような構成のものが用いられることに限定されることはない。変形例に係る清掃装置として、図３に示すような構成のものが用いられてもよい。図３に示す清掃装置３０では、図１や図２に示す清掃装置１０と同様に、その断面がいわゆるドーナツ形状となっているカバー部３１は、周方向に沿って分割された複数のカバー部分（具体的には、第１カバー部分３２および第２カバー部分３３）を有しており、各カバー部分３２、３３は互いに取付可能となっているが、これらのカバー部分３２、３３が蝶番により連結される代わりに、第１カバー部分３２の両端部に２つの取付部材３４、３８がそれぞれ設けられるとともに、第２カバー部分３３の両端部には各取付部材３４、３８により取り付けられる２つの被取付部材３５、３９がそれぞれ設けられている。そして、このような清掃装置３０では、第１カバー部分３２および第２カバー部分３３でウエブ案内ロール２０を囲った状態で第１カバー部分３２の各取付部材３４、３８を第２カバー部分３３の各被取付部材３５、３９にそれぞれ取り付けることにより、ウエブ案内ロール２０の外周面の全周が第１カバー部分３２および第２カバー部分３３により覆われるようになる。また、図３に示すような清掃装置３０でも、第１カバー部分３２および第２カバー部分３３の内周面にそれぞれ異物除去部としてブラシ３６が設けられている。このような清掃装置３０では、図１や図２に示す清掃装置１０と同様に、カバー部３１をウエブ案内ロール２０に取り付けた後、ウエブ案内ロール２０の軸線方向に沿ってカバー部３１をスライドさせながら当該ウエブ案内ロール２０を回転させることにより、ウエブ案内ロール２０の外周面、とりわけ溝２２の内部に付着した異物がブラシ３６によって掻き落とされ、ウエブ案内ロール２０の外周面から異物の除去を行うことができるようになる。
【００２５】
また、別の変形例に係る清掃装置として、図４に示すような構成のものが用いられてもよい。図４に示す清掃装置４０では、断面がいわゆるドーナツ形状となっているカバー部４１（厳密には、複数に分割された複数のカバー部分の各々）の内周面に設けられる異物除去部として、ブラシが用いられる代わりにウエス４６が用いられるようになっている。より詳細には、図４に示す清掃装置４０では、カバー部４１の内周面に複数の突起４４が設けられるとともに、各突起４４を覆うようカバー部４１の内周面にウエス４６が設けられている。このような清掃装置４０によれば、ウエブ案内ロール２０の外周面の清掃を行うにあたり、カバー部４１をウエブ案内ロール２０に取り付けた後、当該ウエブ案内ロール２０の軸線方向に沿ってカバー部４１をスライドさせながらこのウエブ案内ロール２０を回転させることにより、ウエブ案内ロール２０の外周面、とりわけ溝２２の内部に付着した異物がウエス４６によって取り除かれ、ウエブ案内ロール２０の外周面から異物の除去を行うことができるようになる。とりわけ、各突起４４を覆うようウエス４６が設けられていることにより、当該突起４４により凸形状となったウエス４６が溝２２の内部に入り込むことができるようになり、このことにより溝２２の内部に付着した異物をより確実に除去することができるようになる。なお、図４に示す清掃装置４０において、突起４４の数や位置に特段の限定はなく、カバー部４１の内周面における複数の突起４４の配置には自由度がある。
【００２６】
また、更に別の変形例に係る清掃装置では、断面がいわゆるドーナツ形状となっているカバー部（厳密には、複数に分割された複数のカバー部分の各々）の内周面に設けられる異物除去部として、ブラシやウエスの代わりに他の種類の可撓性を有する材料（例えば、スポンジ等）が用いられるようになっていてもよい。
【００２７】
また、本実施の形態による清掃装置１０では、図５に示すように、ウエブ案内ロール２０の軸線方向に沿ってカバー部１１を自動でスライドさせるスライド機構５０が設けられていてもよい。図５に示すように、スライド機構５０は、ウエブ案内ロール２０の軸線方向と平行に延びる棒状の案内部材５２と、案内部材５２に沿って移動可能となっているスライド部材５４と、スライド部材５４に設けられ、清掃装置１０のカバー部１１がその先端に取り付けられている接続部材５６とを有するリニアガイドからなり、スライド部材５４が案内部材５２に沿って移動することにより清掃装置１０のカバー部１１がウエブ案内ロール２０の軸線方向に沿って自動で移動するようになっている。図５に示すようなスライド機構５０が設けられている場合には、清掃装置１０のカバー部１１をウエブ案内ロール２０の軸線方向に沿って自動で移動させることができるようになるため、ウエブ案内ロール２０の外周面の清掃する際の作業性をより一層向上させることができる。
【００２８】
以上のような構成からなる本実施の形態による清掃装置１０、３０、４０によれば、帯状のウエブが掛け渡されるウエブ案内ロール２０の外周面の全周を覆うよう設けられ、当該ウエブ案内ロール２０から取り外し可能となっているカバー部１１、３１、４１と、カバー部１１、３１、４１の内周面に設けられ、可撓性を有しており、ウエブ案内ロール２０の外周面から異物を除去する異物除去部とを備えているため、清掃装置１０、３０、４０のカバー部１１、３１、４１をウエブ案内ロール２０に取り付けた後、ウエブ案内ロール２０を手動または自動で回転させながらカバー部１１、３１、４１を当該ウエブ案内ロール２０の軸線方向の一方向に移動させる動作を一回行うだけでウエブ案内ロール２０の外周面から異物を除去することができ、よってシンプルな構成で作業性を向上させることができる。なお、上述したように、本実施の形態では、ウエブ案内ロール２０を回転させずに清掃装置１０、３０、４０のカバー部１１、３１、４１をスライドさせても、当該ウエブ案内ロール２０の外周面（具体的には、溝２２の内部）に付着した異物を掻き落とし、当該ウエブ案内ロール２０の外周面から異物の除去を行うことができる。
【００２９】
なお、カバー部１１、３１、４１がウエブ案内ロール２０の外周面の全周を覆うような構成となっていない場合には、言い換えると、ウエブ案内ロール２０の外周面の一部（例えば、ウエブ案内ロール２０の外周面の半周）だけ覆うようなカバー部が用いられる場合には、ウエブ案内ロール２０の外周面の清掃を行う際にこのウエブ案内ロール２０の外周面の一部をカバー部が覆った状態で当該ウエブ案内ロール２０を回転させると、ウエブ案内ロール２０の外周面に付着している異物がカバー部の端部（言い換えると、ウエブ案内ロール２０がカバー部により覆われている箇所とカバー部により覆われていない箇所との境界）で滞留してしまい、この箇所に異物が溜まってしまうという問題がある。これに対し、本実施の形態による清掃装置１０、３０、４０では、ウエブ案内ロール２０から取り外し可能となっているカバー部１１、３１、４１が当該ウエブ案内ロール２０の外周面の全周を覆うような構成となっているため、このような問題が生じてしまうことを防止することができるようになる。
【００３０】
また、本実施の形態による清掃装置１０、３０、４０においては、上述したように、カバー部１１、３１、４１の内周面に設けられた異物除去部は、ブラシ、スポンジおよびウエスのうち少なくとも１つのものからなっていてもよい。
【００３１】
また、図４に示すような清掃装置４０では、上述したように、異物除去部は、カバー部４１の内周面に形成された突起４４と、突起４４を覆うようカバー部４１の内周面に設けられたウエス４６とを有している。このような構成の清掃装置４０によれば、突起４４により凸形状となったウエス４６が溝２２の内部に入り込むことができるようになり、このことにより溝２２の内部に付着した異物をより確実に除去することができるようになる。なお、上述したように、突起４４の数や位置に特段の限定はなく、カバー部４１の内周面における複数の突起４４の配置には自由度があるため、凸形状となったウエス４６の数や位置にも自由度がある。
【００３２】
また、本実施の形態による清掃装置１０、３０、４０においては、上述したように、カバー部１１、３１、４１は、周方向に沿って分割された複数のカバー部分（例えば、第１カバー部分１２、３２および第２カバー部分１３、３３）を有しており、各カバー部分は互いに取付可能となっている。この場合には、ウエブ案内ロール２０へのカバー部１１、３１、４１の着脱を容易に行うことができるようになる。
【００３３】
また、図５に示すような清掃装置１０では、上述したように、ウエブ案内ロール２０の軸線方向に沿ってカバー部１１をスライドさせるスライド機構５０が設けられている。この場合には、清掃装置１０のカバー部１１をウエブ案内ロール２０の軸線方向に沿って自動で移動させることができるようになるため、ウエブ案内ロール２０の外周面の清掃する際の作業性をより一層向上させることができる。
【００３４】
また、本発明では、上記の清掃装置１０、３０、４０およびウエブ案内ロール２０を組み合わせることによりウエブ案内システムが構成されている。このようなウエブ案内システムにおいて、ウエブ案内ロール２０を回転駆動させる駆動部（具体的には、駆動モータ２６）が設けられている場合には、清掃装置１０、３０、４０のカバー部１１、３１、４１をウエブ案内ロール２０に取り付けた後、駆動モータ２６によってウエブ案内ロール２０を自動で回転させながら当該カバー部１１、３１、４１をウエブ案内ロール２０の軸線方向に沿って手動または自動でスライドさせることにより、ウエブ案内ロール２０の外周面の清掃を行う際の作業性をより一層向上させることができる。
【００３５】
なお、本実施の形態による清掃装置やこのような清掃装置およびウエブ案内ロールを組み合わせることにより構成されるウエブ案内システムは、上述したような態様に限定されることはなく、様々な変更を加えることができる。
【００３６】
例えば、清掃装置のカバー部は、２つのカバー部分に分割されたものに限定されることはない。清掃装置のカバー部として、３つ以上のカバー部分に分割されたものが用いられてもよい。また、各カバー部分を互いに取り付ける方法として、上述したような一方のカバー部分に取付部材を設けるとともに他方のカバー部分に被取付部材を設ける方法に限定されることはない。
【００３７】
また、上記の説明では、清掃装置として、溝が設けられたウエブ案内ロールの外周面を清掃するものについて述べたが、本実施の形態による清掃装置は、このようなウエブ案内ロールの外周面を清掃するものに限定されることはない。本実施の形態による清掃装置として、溝が設けられていないウエブ案内ロールの外周面を清掃するものが用いられてもよい。この場合でも、清掃装置自体の構成は上記で述べた構成のものと略同一となる。
【００３８】
また、上述したように、本実施の形態による清掃装置において、カバー部の内周面に設けられた異物除去部はブラシ、スポンジ、ウエスに限定されることはない。可撓性を有しておりウエブ案内ロールの外周面（とりわけ、ウエブ案内ロールに設けられた溝の内部）から異物を除去することができるものであれば、異物除去部として他の材料のものを用いてもよい。
【符号の説明】
【００３９】
１０  清掃装置
１１  カバー部
１２  第１カバー部分
１３  第２カバー部分
１４  蝶番
１６  ブラシ
１８  取付部材
１９  被取付部材
２０  ウエブ案内ロール
２２  溝
２４  軸
２６  駆動モータ
３０  清掃装置
３１  カバー部
３２  第１カバー部分
３３  第２カバー部分
３４  取付部材
３５  被取付部材
３６  ブラシ
３８  取付部材
３９  被取付部材
４０  清掃装置
４１  カバー部
４４  突起
４６  ウエス
５０  スライド機構
５２  案内部材
５４  スライド部材
５６  接続部材
【図１】
2016221487.tif 000003
【図２】
2016221487.tif 000004
【図３】
2016221487.tif 000005
【図４】
2016221487.tif 000006
【図５】
2016221487.tif 000007